(57)【要約】【課題】特定位置における将来の通信状態情報をユーザに把握させることによって、ユーザの満足度を向上させることができる端末装置、通信システムおよびプログラムを提供する。【解決手段】端末装置は、特定位置における過去の通信状態を示す通信状態情報を取得する通信状態情報取得部と、通信状態情報取得部によって取得された過去の通信状態情報に基づいて、特定位置における通信状態を推定することにより、将来の通信状態情報を生成する通信状態情報生成部と、通信状態情報生成部によって生成された将来の通信状態情報を表示する通信状態情報表示部とを備える。【選択図】図１
2018067800.tif 000002
【特許請求の範囲】
【請求項１】
特定位置における過去の通信状態を示す通信状態情報を取得する通信状態情報取得部と、
前記通信状態情報取得部によって取得された過去の通信状態情報に基づいて、前記特定位置における通信状態を推定することにより、将来の通信状態情報を生成する通信状態情報生成部と、
前記通信状態情報生成部によって生成された将来の通信状態情報を表示する通信状態情報表示部と
を備える端末装置。
【請求項２】
前記端末装置の将来位置を推定する将来位置推定部を更に備え、
前記特定位置とは、前記将来位置推定部によって推定された前記端末装置の将来位置である
請求項１に記載の端末装置。
【請求項３】
前記通信状態情報生成部は、
前記特定位置における将来の天候に基づいて、前記特定位置における通信状態を推定することにより、将来の通信状態情報を生成する
請求項１又は請求項２に記載の端末装置。
【請求項４】
前記通信状態情報生成部によって生成される前記特定位置における将来の通信状態情報の変化に基づいて、前記端末装置が前記特定位置において通信できない状態になるおそれがあるか否かを判定する通信状態判定部を更に備え、
前記端末装置が前記特定位置において通信できない状態になるおそれがあると前記通信状態判定部によって判定された場合に、前記通信状態情報表示部は、前記端末装置が前記特定位置において通信できない状態になるおそれがある旨を表示する
請求項１から請求項３のいずれか一項に記載の端末装置。
【請求項５】
請求項１から請求項４のいずれか一項に記載の前記端末装置の前記通信状態情報取得部によって取得される前記特定位置における過去の通信状態情報を作成する通信状態情報作成部
を備える通信システムであって、
前記通信状態情報作成部によって作成された前記特定位置における過去の通信状態情報を、複数の互いに異なる周波数帯域を用いて複数の端末装置に送信する
通信システム。
【請求項６】
端末装置が備えるコンピュータに、
特定位置における過去の通信状態を示す通信状態情報を取得する通信状態情報取得ステップと、
前記通信状態情報取得ステップにおいて取得された過去の通信状態情報に基づいて、前記特定位置における通信状態を推定することにより、将来の通信状態情報を生成する通信状態情報生成ステップと、
前記通信状態情報生成ステップにおいて生成された将来の通信状態情報を表示する通信状態情報表示ステップと
を実行させるためのプログラム。
【発明の詳細な説明】
【技術分野】
【０００１】
本発明の実施形態は、端末装置、通信システムおよびプログラムに関する。
【背景技術】
【０００２】
従来、所定の位置と、その位置における過去の通信状態とを用いる端末装置が知られている（例えば、特許文献１を参照）。
【先行技術文献】
【特許文献】
【０００３】
【特許文献１】特開２０１４−１７４４８５号公報
【発明の概要】
【発明が解決しようとする課題】
【０００４】
上述したような端末装置においては、所定の位置における過去の通信状態が、サーバとの通信が切断されている間に対話を自然に続行するために用いられるものの、その位置における将来の通信状態をユーザに把握させるためには用いられない。そのため、このような端末装置においては、その位置における将来の通信状態をユーザに把握させることができず、ユーザの満足度を十分に向上させることができなかった。
【０００５】
本発明は、特定位置における将来の通信状態情報をユーザに把握させることによって、ユーザの満足度を向上させることができる端末装置、通信システムおよびプログラムを提供することを目的とする。
【課題を解決するための手段】
【０００６】
本発明の一実施形態は、特定位置における過去の通信状態を示す通信状態情報を取得する通信状態情報取得部と、前記通信状態情報取得部によって取得された過去の通信状態情報に基づいて、前記特定位置における通信状態を推定することにより、将来の通信状態情報を生成する通信状態情報生成部と、前記通信状態情報生成部によって生成された将来の通信状態情報を表示する通信状態情報表示部とを備える端末装置である。
【０００７】
また、本発明の一実施形態の端末装置は、前記端末装置の将来位置を推定する将来位置推定部を更に備え、前記特定位置とは、前記将来位置推定部によって推定された前記端末装置の将来位置である。
【０００８】
また、本発明の一実施形態の端末装置は、前記通信状態情報生成部は、前記特定位置における将来の天候に基づいて、前記特定位置における通信状態を推定することにより、将来の通信状態情報を生成する。
【０００９】
また、本発明の一実施形態の端末装置は、前記通信状態情報生成部によって生成される前記特定位置における将来の通信状態情報の変化に基づいて、前記端末装置が前記特定位置において通信できない状態になるおそれがあるか否かを判定する通信状態判定部を更に備え、前記端末装置が前記特定位置において通信できない状態になるおそれがあると前記通信状態判定部によって判定された場合に、前記通信状態情報表示部は、前記端末装置が前記特定位置において通信できない状態になるおそれがある旨を表示する。
【００１０】
また、本発明の一実施形態は、前記端末装置の前記通信状態情報取得部によって取得される前記特定位置における過去の通信状態情報を作成する通信状態情報作成部を備える通信システムであって、前記通信状態情報作成部によって作成された前記特定位置における過去の通信状態情報を、複数の互いに異なる周波数帯域を用いて複数の端末装置に送信する通信システムである。
【００１１】
また、本発明の一実施形態は、端末装置が備えるコンピュータに、特定位置における過去の通信状態を示す通信状態情報を取得する通信状態情報取得ステップと、前記通信状態情報取得ステップにおいて取得された過去の通信状態情報に基づいて、前記特定位置における通信状態を推定することにより、将来の通信状態情報を生成する通信状態情報生成ステップと、前記通信状態情報生成ステップにおいて生成された将来の通信状態情報を表示する通信状態情報表示ステップとを実行させるためのプログラムである。
【発明の効果】
【００１２】
本発明によれば、特定位置における将来の通信状態情報をユーザに把握させることによって、ユーザの満足度を向上させることができる端末装置、通信システムおよびプログラムを提供できる。
【図面の簡単な説明】
【００１３】
【図１】本実施形態の端末装置の構成の一例を示す模式図である。
【図２】図１に示す端末装置を含む本実施形態の通信システム１００の構成の一例を示す模式図である。
【図３】図１に示す端末装置が有しているコンピュータに記録されているプログラムによって実行される処理手順の一例を示す流れ図である。
【図４】本実施形態の端末装置の第１適用例を示す模式図である。
【図５】本実施形態の端末装置の第２適用例を示す模式図である。
【図６】本実施形態の端末装置の第３適用例を示す模式図である。
【図７】本実施形態の端末装置の第４適用例を示す模式図である。
【図８】本実施形態の端末装置の第５適用例を示す模式図である。
【図９】本実施形態の端末装置の第６適用例を示す模式図である。
【発明を実施するための形態】
【００１４】
［実施形態］
以下、図を参照して本実施形態による端末装置１０の実施形態について説明する。
本実施形態の端末装置１０は、例えば、携帯電話やスマートフォンである。この端末装置１０は、例えば、音声情報と、画像情報とを同一の回線で送受信可能な、高速データ通信回線に接続が可能である。この高速データ通信回線とは、例えば、ＬＴＥ（Long Term Evolution）通信網である。この高速データ通信回線は、例えば、画像や文字などのデジタル情報の送受信に加えて、音声通話を可能にするサービス（ＶｏＬＴＥ；Voice over LTE）を提供する。
【００１５】
［端末装置１０および通信システム１００の構成］
図１は、本実施形態の端末装置１０の構成の一例を示す模式図である。図１に示す例では、端末装置１０は、例えば、通信状態情報取得部１０ａと、通信状態情報生成部１０ｂと、通信状態情報表示部１０ｃと、将来位置推定部１０ｄと、通信状態判定部１０ｅとを備えている。
図２は、図１に示す端末装置１０を含む本実施形態の通信システム１００の構成の一例を示す模式図である。図２に示す例では、通信システム１００は、例えば、複数の端末装置１０、１０’、１０”、…と、複数の基地局２０と、複数の基地局２０を相互接続するネットワーク３０と、ネットワーク３０に接続された通信状態情報管理サーバ４０とを含む。また、図２に示す例では、各基地局２０に通信状態情報作成部２０ａが備えられている。
【００１６】
［通信状態情報作成部２０ａおよび通信状態情報管理サーバ４０の機能］
図２に示す例では、基地局２０の通信状態情報作成部２０ａは、例えば、過去の基地局２０のセル内における端末装置１０、１０’、１０”、…との接続数などのような統計情報に基づく通信状態を示す過去の通信状態情報を作成することができる。
あるいは、通信状態情報管理サーバ４０が、基地局２０のセル内における端末装置１０、１０’、１０”、…との接続数などのような状況を、定期的あるいはリアルタイムで監視することもできる。
例えば、通信状態情報管理サーバ４０は、通信状態情報作成部２０ａによって作成された基地局２０のセル内の位置Ｐ０１のＡ月Ｂ日の時刻ｔ９１における端末装置１０、１０’、１０”、…との接続数などの通信状態情報に基づいて、例えば「位置Ｐ０１のＡ月Ｂ日の時刻ｔ９１における通信状態が『良』であった」旨の過去の通信状態情報を作成することができる。つまり、通信状態情報管理サーバ４０は、基地局２０の通信状態情報を受け取ることができる。また、例えば、通信状態情報管理サーバ４０は、他の基地局２０のセル内の位置Ｐ０２のＣ月Ｄ日の時刻ｔ９２における端末装置１０、１０’、１０”、…との接続数などの通信状態情報に基づいて、例えば「位置Ｐ０２のＣ月Ｄ日の時刻ｔ９２における通信状態が『悪』であった」旨の過去の通信状態情報を作成することができる。また、例えば、通信状態情報管理サーバ４０は、更に他の基地局２０のセル内の位置Ｐ０３のＥ月Ｆ日の時刻ｔ９３における端末装置１０、１０’、１０”、…との接続数などの通信状態情報に基づいて、例えば「位置Ｐ０３のＥ月Ｆ日の時刻ｔ９３における通信状態が、『良』と『悪』との間の『可』であった」旨の過去の通信状態情報を作成することができる。
端末装置１０、１０’、１０”、…との接続数が多くなるほど、通信速度が遅くなり、通信状態が『悪』と判定されやすくなる。端末装置１０、１０’、１０”、…との接続数が少なくなるほど、通信速度が速くなり、通信状態が『良』と判定されやすくなる。
【００１７】
図２に示す例では、通信状態情報管理サーバ４０は、それぞれの基地局２０の通信状態情報作成部２０ａが作成した通信状態情報（例えば接続数（輻輳度合い））の保存および管理を実行する。さらに、通信状態情報管理サーバ４０は、端末装置１０によって測定された通信状態情報（例えば端末装置１０の位置、電界強度（電波の強さ）、他の電波の干渉度合い、通信速度など）の保存および管理を実行する。
【００１８】
［通信状態情報取得部１０ａの機能］
図１に示す例では、端末装置１０の通信状態情報取得部１０ａは、特定位置における過去の通信状態を示す通信状態情報を取得する。
具体的には、端末装置１０の通信状態情報取得部１０ａは、その端末装置１０が接続している基地局２０から、通信状態情報管理サーバ４０が作成した「位置Ｐ０１のＡ月Ｂ日の時刻ｔ９１における通信状態が『良』であった」旨の過去の通信状態情報を取得することができる。また、端末装置１０の通信状態情報取得部１０ａは、その端末装置１０が接続している基地局２０以外の基地局２０の通信状態情報に基づいて通信状態情報管理サーバ４０が作成した「位置Ｐ０２のＣ月Ｄ日の時刻ｔ９２における通信状態が『悪』であった」旨の過去の通信状態情報を取得することができる。また、端末装置１０の通信状態情報取得部１０ａは、その端末装置１０が接続している基地局２０以外の基地局２０の通信状態情報に基づいて通信状態情報管理サーバ４０が作成した「位置Ｐ０３のＥ月Ｆ日の時刻ｔ９３における通信状態が『可』であった」旨の過去の通信状態情報を取得することができる。
また、図１に示す例では、端末装置１０の通信状態情報取得部１０ａは、例えば、将来の端末装置１０の位置に応じて、通信状態情報管理サーバ４０に保存されている通信状態情報を取得することができる。例えば、端末装置１０は、事前に登録した位置（ＧＰＳ（Ｇｌｏｂａｌ  Ｐｏｉｔｉｏｎｉｎｇ  Ｓｙｓｔｅｍ）情報あるいは基地局ＩＤ）となった場合に、通信状態情報管理サーバ４０に保存されている通信状態情報を取得することができる。また、端末装置１０は、事前に登録した位置（ＧＰＳ情報あるいは基地局ＩＤ）となった場合であって、事前に登録した位置に所定時間以上滞在する場合に、通信状態情報管理サーバ４０に保存されている通信状態情報を取得することができる。また、端末装置１０は、特定のアプリケーションを起動するタイミングで、通信状態情報管理サーバ４０に保存されている通信状態情報を取得することができる。端末装置１０は、自端末の機種が対応している周波数の帯域の通信状態情報を取得する。
【００１９】
［通信状態情報生成部１０ｂの機能］
図１に示す例では、端末装置１０の通信状態情報生成部１０ｂは、その端末装置１０の通信状態情報取得部１０ａによって取得された過去の通信状態情報に基づいて、特定位置における通信状態を推定することにより、将来の通信状態情報を生成（予測）する。
上述したように、「特定位置」とは、端末装置１０が現在位置している位置に限られない。通信状態情報生成部１０ｂは、端末装置１０が現在位置している位置よりも通信状態が良好な周辺位置の通信状態情報を生成することもできる。
「将来」の例としては、例えば、ユーザが予め設定することができる例えば現在から３時間後の時点などがあげられる。「将来の時点」の設定は、例えばアプリケーションを利用することによって行うことができる。アプリケーションは、サーバにアクセスする際に「将来の時点」を指定する（つまり、現在から何時間後の時点にするかを指定する）ことができる。
具体的には、端末装置１０の通信状態情報生成部１０ｂは、その端末装置１０の通信状態情報取得部１０ａによって取得された「位置Ｐ０１のＡ月Ｂ日の時刻ｔ９１における通信状態が『良』であった」旨の過去の通信状態情報に基づいて、位置Ｐ０１における通信状態を推定することにより、「位置Ｐ０１のＡ’月Ｂ’日の時刻ｔ９１における通信状態が『良』になる」旨の将来の通信状態情報を生成することができる。また、端末装置１０の通信状態情報生成部１０ｂは、その端末装置１０の通信状態情報取得部１０ａによって取得された「位置Ｐ０２のＣ月Ｄ日の時刻ｔ９２における通信状態が『悪』であった」旨の過去の通信状態情報に基づいて、位置Ｐ０２における通信状態を推定することにより、「位置Ｐ０２のＣ’月Ｄ’日の時刻ｔ９２における通信状態が『悪』になる」旨の将来の通信状態情報を生成することができる。また、端末装置１０の通信状態情報生成部１０ｂは、その端末装置１０の通信状態情報取得部１０ａによって取得された「位置Ｐ０３のＥ月Ｆ日の時刻ｔ９３における通信状態が『可』であった」旨の過去の通信状態情報に基づいて、位置Ｐ０３における通信状態を推定することにより、「位置Ｐ０３のＥ’月Ｆ’日の時刻ｔ９３における通信状態が『可』になる」旨の将来の通信状態情報を生成することができる。
通信状態情報生成部１０ｂによって生成された将来の通信状態情報は、端末装置１０の記憶部（図示せず）に記憶される。例えば、通信状態情報生成部１０ｂによって予測されたＥ’月Ｆ’日の時刻ｔ９３の通信状態と、Ｅ’月Ｆ’日の時刻ｔ９３の現実の通信状態とが異なる結果になった場合には、その旨の情報を、例えば通信状態情報管理サーバ４０に送信し、通信状態情報生成部１０ｂの精度を向上させるために利用することもできる。
【００２０】
［通信状態情報表示部１０ｃの機能］
図１に示す例では、端末装置１０の通信状態情報表示部１０ｃは、その端末装置１０の通信状態情報生成部１０ｂによって生成された将来の通信状態情報を表示する。通信状態情報表示部１０ｃは、例えば液晶ディスプレイを備えており、例えば、電界強度を示すアンテナバーの画像などを表示する。また、端末装置１０の通信状態情報表示部１０ｃは、例えば、電界強度を示すアンテナバーの色の違いによって、将来の通信状態情報を表示する。
具体的には、端末装置１０の通信状態情報表示部１０ｃは、「位置Ｐ０１のＡ’月Ｂ’日の時刻ｔ９１における通信状態が『良』になる」旨の将来の通信状態情報を表示する場合に、『青色』のアンテナバーの画像を表示することができる。また、端末装置１０の通信状態情報表示部１０ｃは、「位置Ｐ０２のＣ’月Ｄ’日の時刻ｔ９２における通信状態が『悪』になる」旨の将来の通信状態情報を表示する場合に、『赤色』のアンテナバーの画像を表示することができる。また、端末装置１０の通信状態情報表示部１０ｃは、「位置Ｐ０３のＥ’月Ｆ’日の時刻ｔ９３における通信状態が『可』になる」旨の将来の通信状態情報を表示する場合に、『青色』と『赤色』との中性色の『紫色』のアンテナバーの画像を表示することができる。
アプリケーションにおいて複数の位置を登録しておくことによって、一つの位置の将来の通信状態情報だけでなく、複数の位置の将来の通信状態情報を表示することもできる。
また、「将来の通信状態情報」として、現在から例えば３時間後までを例えば３０分間隔で区切った複数の時点の通信状態情報を予測して表示することもできる。
本実施形態の端末装置１０では、通信状態情報表示部１０ｃによって特定位置における将来の通信状態情報が表示されるため、特定位置における将来の通信状態情報をユーザに把握させることができる。その結果、本実施形態の端末装置１０では、仮に、特定位置における将来の通信状態が悪いことをユーザが予め把握できない場合よりも、ユーザの満足度を向上させることができる。
【００２１】
［将来位置推定部１０ｄの機能］
図１に示す例では、端末装置１０の将来位置推定部１０ｄは、その端末装置１０の将来位置を推定する。
図１に示す例では、端末装置１０の将来位置推定部１０ｄは、例えば、端末装置１０に備えられた加速度センサ（図示せず）の検出結果に基づいて、その端末装置１０の将来位置を推定する。
具体的には、端末装置１０の将来位置推定部１０ｄは、Ａ’月Ｂ’日の時刻ｔ９１よりも前の時刻ｔ９１’に、そのときの加速度センサの検出結果に基づいて、Ａ’月Ｂ’日の時刻ｔ９１におけるその端末装置１０の位置Ｐ０１を推定することができる。次いで、上述したように、端末装置１０の通信状態情報表示部１０ｃが、『青色』のアンテナバーの画像によって、「位置Ｐ０１のＡ’月Ｂ’日の時刻ｔ９１における通信状態が『良』になる」旨の将来の通信状態情報を表示することができる。
また、端末装置１０の将来位置推定部１０ｄは、Ｃ’月Ｄ’日の時刻ｔ９２よりも前の時刻ｔ９２’に、そのときの加速度センサの検出結果に基づいて、Ｃ’月Ｄ’日の時刻ｔ９２におけるその端末装置１０の位置Ｐ０２を推定することができる。次いで、上述したように、端末装置１０の通信状態情報表示部１０ｃが、『赤色』のアンテナバーの画像によって、「位置Ｐ０２のＣ’月Ｄ’日の時刻ｔ９２における通信状態が『悪』になる」旨の将来の通信状態情報を表示することができる。
また、端末装置１０の将来位置推定部１０ｄは、Ｅ’月Ｆ’日の時刻ｔ９３よりも前の時刻ｔ９３’に、そのときの加速度センサの検出結果に基づいて、Ｅ’月Ｆ’日の時刻ｔ９３におけるその端末装置１０の位置Ｐ０３を推定することができる。次いで、上述したように、端末装置１０の通信状態情報表示部１０ｃが、『紫色』のアンテナバーの画像によって、「位置Ｐ０３のＥ’月Ｆ’日の時刻ｔ９３における通信状態が『可』になる」旨の将来の通信状態情報を表示することができる。
【００２２】
［将来位置推定部１０ｄの変形例］
上述した例では、端末装置１０の将来位置推定部１０ｄが加速度センサの検出結果に基づいてその端末装置１０の将来位置を推定するが、これに限られない。端末装置１０の将来位置推定部１０ｄは、その端末装置１０に備えられているＧＰＳの機能を用いることにより、その端末装置１０の将来位置を推定することもできる。
あるいは、端末装置１０の将来位置推定部１０ｄは、その端末装置１０に備えられている例えば交通機関の乗換検索アプリケーションなどのような行先検索アプリケーションの実行結果を用いることによって、その端末装置１０のユーザの移動先を推定し、その端末装置１０の将来位置を推定することもできる。
【００２３】
［通信状態情報生成部１０ｂの変形例］
上述した例では、端末装置１０の通信状態情報生成部１０ｂが、将来の天候を考慮することなく、特定位置における通信状態を推定することによって将来の通信状態情報を生成するが、これに限られない。端末装置１０の通信状態情報生成部１０ｂは、特定位置における将来の天候に基づいて、特定位置における通信状態を推定することにより、将来の通信状態情報を生成することもできる。
具体的には、上述した位置Ｐ０１が駅に隣接する地下通路である場合であって、その地下通路に、地上通路が併設されている場合について説明する。
天候が晴れの場合には、駅からの歩行者が地下通路と地上通路とに分散し、地下通路の歩行者の量は、それほど多くならない。その結果、位置Ｐ０１をセル内に有する基地局２０と端末装置１０、１０’、１０”、…との接続数は、それほど多くならず、位置Ｐ０１における通信状態は『良』になる。一方、天候が雨の場合には、駅からの歩行者が地下通路に集中し、地下通路の歩行者の量は多くなる。その結果、位置Ｐ０１をセル内に有する基地局２０と端末装置１０、１０’、１０”、…との接続数は多くなり、位置Ｐ０１における通信状態は『良』よりも悪い『可』になる。
【００２４】
位置Ｐ０１のＡ’月Ｂ’日の時刻ｔ９１における天気予報が晴れである場合、端末装置１０の通信状態情報生成部１０ｂは、その端末装置１０の通信状態情報取得部１０ａによって取得された「位置Ｐ０１のＡ月Ｂ日の時刻ｔ９１における通信状態が『良』であった」旨の過去の通信状態情報と、位置Ｐ０１のＡ’月Ｂ’日の時刻ｔ９１における晴れの天気予報とに基づいて、位置Ｐ０１における通信状態を推定することにより、「位置Ｐ０１のＡ’月Ｂ’日の時刻ｔ９１における通信状態が『良』になる」旨の将来の通信状態情報を生成することができる。
一方、位置Ｐ０１のＡ’月Ｂ’日の時刻ｔ９１における天気予報が雨である場合、端末装置１０の通信状態情報生成部１０ｂは、その端末装置１０の通信状態情報取得部１０ａによって取得された「位置Ｐ０１のＡ月Ｂ日の時刻ｔ９１における通信状態が『良』であった」旨の過去の通信状態情報と、位置Ｐ０１のＡ’月Ｂ’日の時刻ｔ９１における雨の天気予報とに基づいて、位置Ｐ０１における通信状態を推定することにより、「位置Ｐ０１のＡ’月Ｂ’日の時刻ｔ９１における通信状態が『良』よりも悪い『可』になる」旨の将来の通信状態情報を生成することができる。
本実施形態の端末装置１０では、特定位置における将来の通信状態情報が、特定位置における過去の通信状態情報のみならず、特定位置における将来の天候にも基づいて生成されるため、特定位置における将来の天候に基づくことなく、特定位置における将来の通信状態情報が生成される場合よりも、正確な通信状態情報を生成することができる。つまり、本実施形態の端末装置１０では、特定位置における将来の天候に基づくことなく、特定位置における将来の通信状態情報が生成される場合よりも、ユーザの満足度を向上させることができる。
【００２５】
［通信状態判定部１０ｅの機能］
図１に示す例では、端末装置１０の通信状態判定部１０ｅは、その端末装置１０の通信状態情報生成部１０ｂによって生成される特定位置における将来の通信状態情報の変化に基づいて、その端末装置１０が特定位置において通信できない状態になるおそれがあるか否かを判定する。更に、その端末装置１０が特定位置において通信できない状態になるおそれがあると通信状態判定部１０ｅによって判定された場合には、その端末装置１０の通信状態情報表示部１０ｃが、その端末装置１０が特定位置において通信できない状態になるおそれがある旨を、例えばコンシェルジュサービスのような態様によって表示する。
本実施形態の端末装置１０では、特定位置において通信できない状態になるおそれがある旨が表示されるため、特定位置において通信できない状態になるおそれがある旨が表示されない場合、つまり、ユーザに対する予告なく、特定位置において通信できない状態になる場合よりも、ユーザの満足度を向上させることができる。
【００２６】
具体的には、位置Ｐ０１に位置する端末装置１０の通信状態情報生成部１０ｂが、Ａ’月Ｂ’日の時刻ｔ９１よりも前の時刻ｔ９１’に、「位置Ｐ０１のＡ’月Ｂ’日の時刻ｔ９１における通信状態が『良』になる」旨の将来の通信状態情報を生成した場合には、端末装置１０の通信状態判定部１０ｅは、Ａ’月Ｂ’日の時刻ｔ９１’に、「端末装置１０がＡ’月Ｂ’日の時刻ｔ９１に位置Ｐ０１において通信できない状態になるおそれがない」と判定することができる。
一方、位置Ｐ０１に位置する端末装置１０の通信状態情報生成部１０ｂが、Ａ’月Ｂ’日の時刻ｔ９１よりも前の時刻ｔ９１’に、「位置Ｐ０１のＡ’月Ｂ’日の時刻ｔ９１における通信状態が『悪』になる」旨の将来の通信状態情報を生成した場合には、端末装置１０の通信状態判定部１０ｅは、Ａ’月Ｂ’日の時刻ｔ９１’に、「端末装置１０がＡ’月Ｂ’日の時刻ｔ９１に位置Ｐ０１において通信できない状態になるおそれがある」と判定することができる。更に、端末装置１０の通信状態情報表示部１０ｃは、Ａ’月Ｂ’日の時刻ｔ９１’に、「端末装置１０がＡ’月Ｂ’日の時刻ｔ９１に位置Ｐ０１において通信できない状態になるおそれがある」旨を表示することができる。
上述した例では、端末装置１０の通信状態情報表示部１０ｃが、「端末装置１０がＡ’月Ｂ’日の時刻ｔ９１に位置Ｐ０１において通信できない状態になるおそれがある」旨を表示するが、これに限られない。端末装置１０の通信状態情報表示部１０ｃが、端末装置１０が位置Ｐ０１において通信できない状態になるおそれがある時刻ｔ９１を表示することなく、端末装置１０が位置Ｐ０１において通信できない状態になるおそれがある旨のみを表示することもできる。
【００２７】
また、具体的には、位置Ｐ０１’に位置する端末装置１０の将来位置推定部１０ｄが、Ａ’月Ｂ’日の時刻ｔ９１よりも前の時刻ｔ９１’に、Ａ’月Ｂ’日の時刻ｔ９１におけるその端末装置１０の位置Ｐ０１を推定した場合であって、位置Ｐ０１’に位置する端末装置１０の通信状態情報生成部１０ｂが、Ａ’月Ｂ’日の時刻ｔ９１’に、「位置Ｐ０１のＡ’月Ｂ’日の時刻ｔ９１における通信状態が『良』になる」旨の将来の通信状態情報を生成した場合には、端末装置１０の通信状態判定部１０ｅは、Ａ’月Ｂ’日の時刻ｔ９１’に、「端末装置１０がＡ’月Ｂ’日の時刻ｔ９１に位置Ｐ０１において通信できない状態になるおそれがない」と判定する。
一方、位置Ｐ０１’に位置する端末装置１０の将来位置推定部１０ｄが、Ａ’月Ｂ’日の時刻ｔ９１よりも前の時刻ｔ９１’に、Ａ’月Ｂ’日の時刻ｔ９１におけるその端末装置１０の位置Ｐ０１を推定した場合であって、位置Ｐ０１’に位置する端末装置１０の通信状態情報生成部１０ｂが、Ａ’月Ｂ’日の時刻ｔ９１’に、「位置Ｐ０１のＡ’月Ｂ’日の時刻ｔ９１における通信状態が『悪』になる」旨の将来の通信状態情報を生成した場合には、端末装置１０の通信状態判定部１０ｅは、Ａ’月Ｂ’日の時刻ｔ９１’に、「端末装置１０がＡ’月Ｂ’日の時刻ｔ９１に位置Ｐ０１において通信できない状態になるおそれがある」と判定することができる。更に、端末装置１０の通信状態情報表示部１０ｃは、Ａ’月Ｂ’日の時刻ｔ９１’に、「端末装置１０がＡ’月Ｂ’日の時刻ｔ９１に位置Ｐ０１において通信できない状態になるおそれがある」旨を表示することができる。
上述した例では、端末装置１０の通信状態情報表示部１０ｃが、「端末装置１０がＡ’月Ｂ’日の時刻ｔ９１に位置Ｐ０１において通信できない状態になるおそれがある」旨を表示するが、これに限られない。端末装置１０の通信状態情報表示部１０ｃが、端末装置１０が位置Ｐ０１において通信できない状態になるおそれがある時刻ｔ９１を表示することなく、端末装置１０が位置Ｐ０１において通信できない状態になるおそれがある旨のみを表示することもできる。
【００２８】
［複数の互いに異なる周波数帯域の利用］
図２に示す例では、通信状態情報管理サーバ４０によって作成された特定位置における過去の通信状態情報が、複数の互いに異なる周波数帯域を用いて複数の端末装置１０、１０’、１０”、…に送信される。
具体的には、端末装置１０が周波数帯域Ｗ１を用いる機種である場合に、通信状態情報管理サーバ４０によって作成された特定位置における過去の通信状態情報が、周波数帯域Ｗ１を用いて端末装置１０に送信される。端末装置１０’が周波数帯域Ｗ２を用いる機種である場合に、通信状態情報管理サーバ４０によって作成された特定位置における過去の通信状態情報が、周波数帯域Ｗ２を用いて端末装置１０’に送信される。端末装置１０”が周波数帯域Ｗ３を用いる機種である場合に、通信状態情報管理サーバ４０によって作成された特定位置における過去の通信状態情報が、周波数帯域Ｗ３を用いて端末装置１０”に送信される。
本実施形態の通信システム１００では、特定位置における過去の通信状態情報が、複数の互いに異なる周波数帯域を用いて複数の端末装置１０、１０’、１０”、…に送信されるため、利用する周波数帯域が互いに異なる複数の端末装置１０、１０’、１０”、…において、特定位置における将来の通信状態情報を通信状態情報表示部１０ｃにより表示できるようにすることができる。
【００２９】
［端末装置１０のコンピュータに記録されているプログラムにより実行される処理手順］
図３は図１に示す端末装置１０が有しているコンピュータに記録されているプログラムによって実行される処理手順の一例を示す流れ図である。
図３に示す例では、処理が開始されると、ステップＳ１において、端末装置１０の将来位置が推定される。次いで、ステップＳ２では、特定位置における過去の例えば統計情報に基づく通信状態を示す通信状態情報が取得される。次いで、ステップＳ３では、ステップＳ２において取得された過去の通信状態情報に基づいて、特定位置における通信状態を推定することにより、将来の通信状態情報が生成される。次いで、ステップＳ４では、ステップＳ３において生成される特定位置の将来の通信状態情報の変化に基づいて、端末装置１０が特定位置において通信できない状態になるおそれがあるか否かが判定される。次いで、ステップＳ５では、ステップＳ３において生成された将来の通信状態情報などが表示される。
【００３０】
［第１適用例］
図４は本実施形態の端末装置１０の第１適用例を示す模式図である。
図４に示す例では、現在を示すＡ月Ｂ日の時刻ｔ０１（例えばユーザの就業中）と、将来を示すＡ月Ｂ日の時刻ｔ０２（例えばユーザの就業終了時）とで、端末装置１０の位置が位置Ｐ０１（例えばユーザの勤務地の最寄駅）から変化しない。また、時刻ｔ０１における端末装置１０の受信電界強度が通信状態情報表示部１０ｃ上の「アンテナバー３本」に相当し、時刻ｔ０２における端末装置１０の受信電界強度が通信状態情報表示部１０ｃ上の「アンテナバー３本」に相当している。
図４に示す例では、通信状態情報管理サーバ４０が、基地局２０のセル内の位置Ｐ０１のＡ月Ｂ日の時刻ｔ０１における端末装置１０、１０’、１０”、…との接続数などの基地局２０の通信状態情報に基づいて、「位置Ｐ０１のＡ月Ｂ日の時刻ｔ０１における通信状態が『良』である」旨の現在の通信状態情報を作成する。端末装置１０の通信状態情報取得部１０ａは、通信状態情報管理サーバ４０によって作成された「位置Ｐ０１のＡ月Ｂ日の時刻ｔ０１における通信状態が『良』である」旨の現在の通信状態情報を取得する。端末装置１０の通信状態情報表示部１０ｃは、端末装置１０の通信状態情報取得部１０ａによって取得された現在の通信状態情報を表示することができる。具体的には、端末装置１０の通信状態情報表示部１０ｃは、「アンテナバー３本」を『青色』で表示することにより、「位置Ｐ０１のＡ月Ｂ日の時刻ｔ０１における通信状態が『良』である」旨をユーザに把握させることができる。
端末装置１０は、基地局２０のセル内の位置Ｐ０１のＡ月Ｂ日の時刻ｔ０１における端末装置１０、１０’、１０”、…との接続数などの基地局２０の通信状態情報を、基地局２０から直接受け取ることもできる。
【００３１】
また、図４に示す例では、通信状態情報管理サーバ４０が、基地局２０のセル内の位置Ｐ０１のＡ月Ｂ日よりも前のＡ’月Ｂ’日の時刻ｔ０２における端末装置１０、１０’、１０”、…との接続数などに基づいて、「位置Ｐ０１のＡ’月Ｂ’日の時刻ｔ０２における通信状態が『可』であった」旨の過去の通信状態情報を作成する。Ａ月Ｂ日の時刻ｔ０２よりも前に、端末装置１０の通信状態情報取得部１０ａは、通信状態情報管理サーバ４０によって作成された「位置Ｐ０１のＡ’月Ｂ’日の時刻ｔ０２における通信状態が『可』であった」旨の過去の通信状態情報を取得する。端末装置１０の通信状態情報生成部１０ｂは、端末装置１０の通信状態情報取得部１０ａによって取得された「位置Ｐ０１のＡ’月Ｂ’日の時刻ｔ０２における通信状態が『可』であった」旨の過去の通信状態情報に基づいて、位置Ｐ０１における通信状態を推定することにより、「位置Ｐ０１のＡ月Ｂ日の時刻ｔ０２における通信状態が『可』になる」旨の将来の通信状態情報を生成する。端末装置１０の通信状態情報表示部１０ｃは、端末装置１０の通信状態情報生成部１０ｂによって生成された将来の通信状態情報を表示する。具体的には、端末装置１０の通信状態情報表示部１０ｃは、「アンテナバー３本」を『紫色』で表示することにより、「位置Ｐ０１のＡ月Ｂ日の時刻ｔ０２における通信状態が『可』になる」旨の将来の通信状態情報をユーザに把握させることができる。
【００３２】
［第２適用例］
図５は本実施形態の端末装置１０の第２適用例を示す模式図である。
図５に示す例では、現在を示すＡ月Ｂ日の時刻ｔ１１（例えばユーザの朝食時）に端末装置１０が位置Ｐ０１（例えばユーザの自宅）に位置しており、将来を示すＡ月Ｂ日の時刻ｔ１２（例えばユーザの朝の通勤中）に端末装置１０が位置Ｐ０２（例えばユーザの通勤経路上）に移動している。また、時刻ｔ１１における端末装置１０の受信電界強度が通信状態情報表示部１０ｃ上の「アンテナバー３本」に相当し、時刻ｔ１２における端末装置１０の受信電界強度が通信状態情報表示部１０ｃ上の「アンテナバー３本」に相当している。
図５に示す例では、通信状態情報管理サーバ４０が、基地局２０のセル内の位置Ｐ０２のＡ月Ｂ日の時刻ｔ１１における端末装置１０、１０’、１０”、…との接続数などに基づいて、「位置Ｐ０２のＡ月Ｂ日の時刻ｔ１１における通信状態が『良』である」旨の現在の通信状態情報を作成する。端末装置１０の通信状態情報取得部１０ａは、通信状態情報管理サーバ４０によって作成された「位置Ｐ０２のＡ月Ｂ日の時刻ｔ１１における通信状態が『良』である」旨の現在の通信状態情報を取得する。端末装置１０の通信状態情報表示部１０ｃは、端末装置１０の通信状態情報取得部１０ａによって取得された現在の通信状態情報を表示することができる。具体的には、端末装置１０の通信状態情報表示部１０ｃは、「アンテナバー３本」を『青色』で表示することにより、「位置Ｐ０２のＡ月Ｂ日の時刻ｔ１１における通信状態が『良』である」旨をユーザに把握させることができる。
【００３３】
また、図５に示す例では、Ａ月Ｂ日の時刻ｔ１２よりも前に、端末装置１０の将来位置推定部１０ｄは、Ａ月Ｂ日の時刻ｔ１２における端末装置１０の位置Ｐ０３を推定する。通信状態情報管理サーバ４０は、基地局２０のセル内の位置Ｐ０３のＡ月Ｂ日よりも前のＡ’月Ｂ’日の時刻ｔ１２における端末装置１０、１０’、１０”、…との接続数などに基づいて、「位置Ｐ０３のＡ’月Ｂ’日の時刻ｔ１２における通信状態が『悪』であった」旨の過去の通信状態情報を作成する。Ａ月Ｂ日の時刻ｔ１２よりも前に、端末装置１０の通信状態情報取得部１０ａは、通信状態情報管理サーバ４０によって作成された「位置Ｐ０３のＡ’月Ｂ’日の時刻ｔ１２における通信状態が『悪』であった」旨の過去の通信状態情報を取得する。端末装置１０の通信状態情報生成部１０ｂは、端末装置１０の通信状態情報取得部１０ａによって取得された「位置Ｐ０３のＡ’月Ｂ’日の時刻ｔ１２における通信状態が『悪』であった」旨の過去の通信状態情報に基づいて、位置Ｐ０３における通信状態を推定することにより、「位置Ｐ０３のＡ月Ｂ日の時刻ｔ１２における通信状態が『悪』になる」旨の将来の通信状態情報を生成する。端末装置１０の通信状態情報表示部１０ｃは、端末装置１０の通信状態情報生成部１０ｂによって生成された将来の通信状態情報を表示する。具体的には、端末装置１０の通信状態情報表示部１０ｃは、「アンテナバー３本」を『赤色』で表示することにより、「位置Ｐ０３のＡ月Ｂ日の時刻ｔ１２における通信状態が『悪』になる」旨の将来の通信状態情報をユーザに把握させることができる。
【００３４】
［第３適用例］
図６は本実施形態の端末装置１０の第３適用例を示す模式図である。
図６に示す例では、現在を示すＡ月Ｂ日の時刻ｔ２１（例えばユーザの移動開始前）に端末装置１０が位置Ｐ０４（例えばユーザの自宅）に位置しており、将来を示すＡ月Ｂ日の時刻ｔ２２（例えばユーザの移動中）に端末装置１０が位置Ｐ０５（例えばトンネル内部）に移動している。また、時刻ｔ２１における端末装置１０の受信電界強度が通信状態情報表示部１０ｃ上の「アンテナバー３本」に相当し、時刻ｔ２２における端末装置１０の受信電界強度が通信状態情報表示部１０ｃ上の「アンテナバー０本」に相当している。
図６に示す例では、通信状態情報管理サーバ４０が、基地局２０のセル内の位置Ｐ０４のＡ月Ｂ日の時刻ｔ２１における端末装置１０、１０’、１０”、…との接続数などに基づいて、「位置Ｐ０４のＡ月Ｂ日の時刻ｔ２１における通信状態が『良』である」旨の現在の通信状態情報を作成する。端末装置１０の通信状態情報取得部１０ａは、通信状態情報管理サーバ４０によって作成された「位置Ｐ０４のＡ月Ｂ日の時刻ｔ２１における通信状態が『良』である」旨の現在の通信状態情報を取得する。端末装置１０の通信状態情報表示部１０ｃは、端末装置１０の通信状態情報取得部１０ａによって取得された現在の通信状態情報を表示することができる。具体的には、端末装置１０の通信状態情報表示部１０ｃは、「アンテナバー３本」を『青色』で表示することにより、「位置Ｐ０４のＡ月Ｂ日の時刻ｔ２１における通信状態が『良』である」旨をユーザに把握させることができる。
【００３５】
また、図６に示す例では、Ａ月Ｂ日の時刻ｔ２２よりも前に、端末装置１０の将来位置推定部１０ｄは、Ａ月Ｂ日の時刻ｔ２２における端末装置１０の位置Ｐ０５を推定する。通信状態情報管理サーバ４０は、基地局２０のセル内の位置Ｐ０５（上述したように、例えばトンネル内部）のＡ月Ｂ日よりも前のＡ’月Ｂ’日の時刻ｔ２２における端末装置１０、１０’、１０”、…との接続数などに基づいて、「位置Ｐ０５のＡ’月Ｂ’日の時刻ｔ１２における通信状態が『悪』であった」旨の過去の通信状態情報を作成する。Ａ月Ｂ日の時刻ｔ２２よりも前に、端末装置１０の通信状態情報取得部１０ａは、通信状態情報管理サーバ４０によって作成された「位置Ｐ０５のＡ’月Ｂ’日の時刻ｔ２２における通信状態が『悪』であった」旨の過去の通信状態情報を取得する。端末装置１０の通信状態情報生成部１０ｂは、端末装置１０の通信状態情報取得部１０ａによって取得された「位置Ｐ０５のＡ’月Ｂ’日の時刻ｔ２２における通信状態が『悪』であった」旨の過去の通信状態情報に基づいて、位置Ｐ０５における通信状態を推定することにより、「位置Ｐ０５のＡ月Ｂ日の時刻ｔ２２における通信状態が『悪』になる」旨の将来の通信状態情報を生成する。端末装置１０の通信状態情報表示部１０ｃは、端末装置１０の通信状態情報生成部１０ｂによって生成された将来の通信状態情報を表示する。具体的には、端末装置１０の通信状態情報表示部１０ｃは、「アンテナバー０本」を『赤色』で表示することにより、「位置Ｐ０５のＡ月Ｂ日の時刻ｔ２２における通信状態が『悪』になる」旨の将来の通信状態情報をユーザに把握させることができる。
【００３６】
［第４適用例］
図７は本実施形態の端末装置１０の第４適用例を示す模式図である。
図７に示す例では、現在を示すＡ月Ｂ日の時刻ｔ３１（例えばユーザの出勤時）に端末装置１０が位置Ｐ０６（例えばユーザの勤務地の最寄駅に隣接する地下通路）に位置しており、将来を示すＡ月Ｂ日の時刻ｔ３２（例えばユーザの退勤時）に端末装置１０が再び位置Ｐ０６に位置している。更に、Ａ月Ｂ日よりも前のＡ’月Ｂ’日の時刻ｔ３２にも、端末装置１０が位置Ｐ０６に位置している。また、Ａ’月Ｂ’日の時刻ｔ３２における端末装置１０の受信電界強度が通信状態情報表示部１０ｃ上の「アンテナバー３本」に相当し、Ａ月Ｂ日の時刻ｔ３１における端末装置１０の受信電界強度が通信状態情報表示部１０ｃ上の「アンテナバー３本」に相当し、Ａ月Ｂ日の時刻ｔ３２における端末装置１０の受信電界強度が通信状態情報表示部１０ｃ上の「アンテナバー３本」に相当している。
図７に示す例では、Ａ’月Ｂ’日の時刻ｔ３２（過去）の位置Ｐ０６における天気が『晴れ』であり、Ａ月Ｂ日の時刻ｔ３１（現在）の位置Ｐ０６における天気が『晴れ』であり、Ａ月Ｂ日の時刻ｔ３２（将来）の位置Ｐ０６における天気予報が『雨』である。
図７に示す例では、通信状態情報管理サーバ４０が、基地局２０のセル内の位置Ｐ０６のＡ月Ｂ日の時刻ｔ３１における端末装置１０、１０’、１０”、…との接続数などに基づいて、「位置Ｐ０６のＡ月Ｂ日の時刻ｔ３１における通信状態が『良』である」旨の現在の通信状態情報を作成する。端末装置１０の通信状態情報取得部１０ａは、通信状態情報管理サーバ４０によって作成された「位置Ｐ０６のＡ月Ｂ日の時刻ｔ３１における通信状態が『良』である」旨の現在の通信状態情報を取得する。端末装置１０の通信状態情報表示部１０ｃは、端末装置１０の通信状態情報取得部１０ａによって取得された現在の通信状態情報を表示することができる。具体的には、端末装置１０の通信状態情報表示部１０ｃは、「アンテナバー３本」を『青色』で表示することにより、「位置Ｐ０６のＡ月Ｂ日の時刻ｔ３１における通信状態が『良』である」旨をユーザに把握させることができる。
【００３７】
また、図７に示す例では、Ａ月Ｂ日の時刻ｔ３２よりも前に、端末装置１０の将来位置推定部１０ｄは、Ａ月Ｂ日の時刻ｔ３２における端末装置１０の位置Ｐ０６を推定する。通信状態情報管理サーバ４０は、基地局２０のセル内の位置Ｐ０６のＡ月Ｂ日よりも前のＡ’月Ｂ’日の時刻ｔ３２における端末装置１０、１０’、１０”、…との接続数などに基づいて、「位置Ｐ０６のＡ’月Ｂ’日の時刻ｔ３２における通信状態が『可』であった」旨の過去の通信状態情報を作成する。Ａ月Ｂ日の時刻ｔ３２よりも前に、端末装置１０の通信状態情報取得部１０ａは、通信状態情報管理サーバ４０によって作成された「位置Ｐ０６のＡ’月Ｂ’日の時刻ｔ３２における通信状態が『可』であった」旨の過去の通信状態情報を取得する。
端末装置１０の通信状態情報生成部１０ｂは、端末装置１０の通信状態情報取得部１０ａによって取得された「位置Ｐ０６のＡ’月Ｂ’日の時刻ｔ３２における通信状態が『可』であった」旨の過去の通信状態情報と、位置Ｐ０６のＡ’月Ｂ’日の時刻ｔ３２における天気が『晴れ』であったことと、位置Ｐ０６のＡ月Ｂ日の時刻ｔ３２における天気予報が『雨』であることとに基づいて、位置Ｐ０６における通信状態を推定することにより、「天気予報が『雨』の位置Ｐ０６のＡ月Ｂ日の時刻ｔ３２における通信状態が、天気が『晴れ』であった位置Ｐ０６のＡ’月Ｂ’日の時刻ｔ３２における通信状態『可』よりも悪い『悪』になる」旨の将来の通信状態情報を生成する。端末装置１０の通信状態情報表示部１０ｃは、端末装置１０の通信状態情報生成部１０ｂによって生成された将来の通信状態情報を表示する。具体的には、端末装置１０の通信状態情報表示部１０ｃは、「アンテナバー３本」を『赤色』で表示することにより、「位置Ｐ０６のＡ月Ｂ日の時刻ｔ３２における通信状態が『悪』になる」旨の将来の通信状態情報をユーザに把握させることができる。
【００３８】
［第５適用例］
図８は本実施形態の端末装置１０の第５適用例を示す模式図である。
図８に示す例では、現在を示すＡ月Ｂ日の時刻ｔ４１（例えば１２月３１日の時刻２３時００分）に端末装置１０が位置Ｐ０７（例えばユーザの自宅）に位置しており、将来を示すＡ月Ｂ日の時刻ｔ４２（例えば１２月３１日の時刻２３時５７分）に端末装置１０が位置Ｐ０７に位置しており、Ａ月Ｂ日の時刻ｔ４２よりも後のＡ月Ｂ日の時刻ｔ４３（例えば１２月３１日の時刻２４時００分）に端末装置１０が位置Ｐ０７に位置している。また、時刻ｔ４１における端末装置１０の受信電界強度が通信状態情報表示部１０ｃ上の「アンテナバー３本」に相当し、時刻ｔ４２における端末装置１０の受信電界強度が通信状態情報表示部１０ｃ上の「アンテナバー３本」に相当し、時刻ｔ４３における端末装置１０の受信電界強度が通信状態情報表示部１０ｃ上の「アンテナバー３本」に相当している。
図８に示す例では、Ａ月Ｂ日の時刻ｔ４１に、通信状態情報管理サーバ４０が、基地局２０のセル内の位置Ｐ０７のＡ月Ｂ日の時刻ｔ４１における端末装置１０、１０’、１０”、…との接続数などに基づいて、「位置Ｐ０７のＡ月Ｂ日の時刻ｔ４１における通信状態が『良』である」旨の現在の通信状態情報を作成する。端末装置１０の通信状態情報取得部１０ａは、通信状態情報管理サーバ４０によって作成された「位置Ｐ０７のＡ月Ｂ日の時刻ｔ４１における通信状態が『良』である」旨の現在の通信状態情報を取得する。端末装置１０の通信状態情報表示部１０ｃは、端末装置１０の通信状態情報取得部１０ａによって取得された現在の通信状態情報を表示することができる。具体的には、端末装置１０の通信状態情報表示部１０ｃは、「アンテナバー３本」を『青色』で表示することにより、「位置Ｐ０７のＡ月Ｂ日の時刻ｔ４１における通信状態が『良』である」旨をユーザに把握させることができる。
【００３９】
また、図８に示す例では、Ａ月Ｂ日の時刻ｔ４３よりも前の時刻ｔ４２に、端末装置１０の将来位置推定部１０ｄは、Ａ月Ｂ日の時刻ｔ４３における端末装置１０の位置Ｐ０７を推定する。通信状態情報管理サーバ４０は、基地局２０のセル内の位置Ｐ０７の例えば前年のＡ月Ｂ日の時刻ｔ４３における端末装置１０、１０’、１０”、…との接続数などに基づいて、「位置Ｐ０７の前年のＡ月Ｂ日の時刻ｔ４３における通信状態が『悪』であった」旨の過去の通信状態情報を作成する。Ａ月Ｂ日の時刻ｔ４３よりも前の時刻ｔ４２に、端末装置１０の通信状態情報取得部１０ａは、通信状態情報管理サーバ４０によって作成された「位置Ｐ０７の前年のＡ月Ｂ日の時刻ｔ４３における通信状態が『悪』であった」旨の過去の通信状態情報を取得する。
端末装置１０の通信状態情報生成部１０ｂは、端末装置１０の通信状態情報取得部１０ａによって取得された「位置Ｐ０７の前年のＡ月Ｂ日の時刻ｔ４３における通信状態が『悪』であった」旨の過去の通信状態情報に基づいて、位置Ｐ０７における通信状態を推定することにより、「位置Ｐ０７の今年のＡ月Ｂ日の時刻ｔ４３における通信状態が『悪』になる」旨の将来の通信状態情報を生成する。端末装置１０の通信状態情報表示部１０ｃは、端末装置１０の通信状態情報生成部１０ｂによって生成された将来の通信状態情報を表示する。具体的には、端末装置１０の通信状態情報表示部１０ｃは、「アンテナバー３本」を『赤色』で表示することにより、「位置Ｐ０７の今年のＡ月Ｂ日の時刻ｔ４３における通信状態が『悪』になる」旨の将来の通信状態情報をユーザに把握させることができる。
更に図８に示す例では、Ａ月Ｂ日の時刻ｔ４３よりも前の時刻ｔ４２に、端末装置１０の通信状態判定部１０ｅは、端末装置１０の通信状態情報生成部１０ｂによって生成される位置Ｐ０７における将来の通信状態情報の変化に基づいて、端末装置１０が位置Ｐ０７において通信できない状態になるおそれがあると判定する。端末装置１０の通信状態情報表示部１０ｃは、端末装置１０が位置Ｐ０７において通信できない状態になるおそれがある旨を、例えばコンシェルジュサービスのような態様によって表示する。
【００４０】
［第６適用例］
図９は本実施形態の端末装置１０の第６適用例を示す模式図である。
図９に示す例では、Ａ月Ｂ日の時刻ｔ５１（例えばユーザの移動開始前）に端末装置１０が位置Ｐ０８（例えばユーザの自宅）に位置しており、Ａ月Ｂ日の時刻ｔ５１より後のＡ月Ｂ日の時刻ｔ５２（例えばユーザの移動中）に端末装置１０が位置Ｐ０９（例えばトンネルの手前）に移動しており、Ａ月Ｂ日の時刻ｔ５２より後のＡ月Ｂ日の時刻ｔ５３（例えばユーザの移動中）に端末装置１０が位置Ｐ１０（例えばトンネル内部）に移動している。また、時刻ｔ５１における端末装置１０の受信電界強度が通信状態情報表示部１０ｃ上の「アンテナバー３本」に相当し、時刻ｔ５２における端末装置１０の受信電界強度が通信状態情報表示部１０ｃ上の「アンテナバー３本」に相当し、時刻ｔ５３における端末装置１０の受信電界強度が通信状態情報表示部１０ｃ上の「アンテナバー０本」に相当している。
図９に示す例では、通信状態情報管理サーバ４０が、基地局２０のセル内の位置Ｐ０８のＡ月Ｂ日の時刻ｔ５１における端末装置１０、１０’、１０”、…との接続数などに基づいて、「位置Ｐ０８のＡ月Ｂ日の時刻ｔ５１における通信状態が『良』である」旨の現在の通信状態情報を作成する。端末装置１０の通信状態情報取得部１０ａは、通信状態情報管理サーバ４０によって作成された「位置Ｐ０８のＡ月Ｂ日の時刻ｔ５１における通信状態が『良』である」旨の現在の通信状態情報を取得する。端末装置１０の通信状態情報表示部１０ｃは、端末装置１０の通信状態情報取得部１０ａによって取得された現在の通信状態情報を表示することができる。具体的には、端末装置１０の通信状態情報表示部１０ｃは、「アンテナバー３本」を『青色』で表示することにより、「位置Ｐ０８のＡ月Ｂ日の時刻ｔ５１における通信状態が『良』である」旨をユーザに把握させることができる。
【００４１】
また、図９に示す例では、Ａ月Ｂ日の時刻ｔ５３よりも前の時刻ｔ５２に、端末装置１０の将来位置推定部１０ｄは、Ａ月Ｂ日の時刻ｔ５３における端末装置１０の位置Ｐ１０を推定する。通信状態情報管理サーバ４０は、基地局２０のセル内の位置Ｐ１０（上述したように、例えばトンネル内部）のＡ月Ｂ日よりも前のＡ’月Ｂ’日の時刻ｔ５３における端末装置１０、１０’、１０”、…との接続数などに基づいて、「位置Ｐ１０のＡ’月Ｂ’日の時刻ｔ５３における通信状態が『悪』であった」旨の過去の通信状態情報を作成する。Ａ月Ｂ日の時刻ｔ５３よりも前に、端末装置１０の通信状態情報取得部１０ａは、通信状態情報管理サーバ４０によって作成された「位置Ｐ１０のＡ’月Ｂ’日の時刻ｔ５３における通信状態が『悪』であった」旨の過去の通信状態情報を取得する。端末装置１０の通信状態情報生成部１０ｂは、端末装置１０の通信状態情報取得部１０ａによって取得された「位置Ｐ１０のＡ’月Ｂ’日の時刻ｔ５３における通信状態が『悪』であった」旨の過去の通信状態情報に基づいて、位置Ｐ１０における通信状態を推定することにより、「位置Ｐ１０のＡ月Ｂ日の時刻ｔ５３における通信状態が『悪』になる」旨の将来の通信状態情報を生成する。端末装置１０の通信状態情報表示部１０ｃは、端末装置１０の通信状態情報生成部１０ｂによって生成された将来の通信状態情報を表示する。具体的には、端末装置１０の通信状態情報表示部１０ｃは、「アンテナバー０本」を『赤色』で表示することにより、「位置Ｐ１０のＡ月Ｂ日の時刻ｔ５３における通信状態が『悪』になる」旨の将来の通信状態情報をユーザに把握させることができる。
更に図９に示す例では、Ａ月Ｂ日の時刻ｔ５３よりも前の時刻ｔ５２に、端末装置１０の通信状態判定部１０ｅは、端末装置１０の通信状態情報生成部１０ｂによって生成される位置Ｐ１０における将来の通信状態情報の変化に基づいて、端末装置１０が位置Ｐ１０において通信できない状態になるおそれがあると判定する。端末装置１０の通信状態情報表示部１０ｃは、端末装置１０が位置Ｐ１０において通信できない状態になるおそれがある旨を、例えばコンシェルジュサービスのような態様によって表示する。
【００４２】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更を行うことができる。これら実施形態及びその変形は、発明の範囲や要旨に含まれると同時に、特許請求の範囲に記載された発明とその均等の範囲に含まれるものである。
【００４３】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００４４】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００４５】
１０、１０’、１０”…端末装置、１０ａ…通信状態情報取得部、１０ｂ…通信状態情報生成部、１０ｃ…通信状態情報表示部、１０ｄ…将来位置推定部、１０ｅ…通信状態判定部、２０…基地局、２０ａ…通信状態情報作成部、３０…ネットワーク、４０…通信状態情報管理サーバ、１００…通信システム
【図１】
2018067800.tif 000003
【図２】
2018067800.tif 000004
【図３】
2018067800.tif 000005
【図４】
2018067800.tif 000006
【図５】
2018067800.tif 000007
【図６】
2018067800.tif 000008
【図７】
2018067800.tif 000009
【図８】
2018067800.tif 000010
【図９】
2018067800.tif 000011